(57)【要約】【課題】景品を簡易に飲料缶に固定することが可能であると共に、固定した景品と共に飲料缶を自動販売機で販売可能な景品収容容器および景品付き缶状包装物を提供する。【解決手段】景品収容容器１０はその下端に、飲料缶の直径とほぼ同一直径の係合部１３を有している。係合部１３をリブ部１０１に当てて押し下げることにより、係合部１３に対して外側に力を加え（ａ）、飲料缶１００のリブ１０１を開口部１４内に押し込む。係合部１３が内側に戻ろうとする弾性力により係合部１３が窪み部１０２と係合して、景品収容容器１０と飲料缶１００が連結されて、景品付き缶状包装物が得られる（ｂ）。【選択図】　図３
2004083109.tif 000002
【特許請求の範囲】
【請求項１】
飲料缶のリブ部に係合する係合部を有し、内部に景品を収容可能な景品収容容器。
【請求項２】
前記係合部の反対側に位置する上面部に嵌合穴を設けたことを特徴とする請求項１に記載の景品収容容器。
【請求項３】
前記係合部の反対側の上面部に飲料缶のリブ部と同形状のリブ部を設けたことを特徴とする請求項１に記載の景品収容容器。
【請求項４】
側面および上面が透明もしくは半透明であることを特徴とする請求項１に記載の景品収容容器。
【請求項５】
請求項１から請求項４のいずれかに記載の景品収容容器と飲料缶が係合されて一体化された景品付き缶状包装物。
【請求項６】
前記景品付き缶状包装物の高さが自動販売機で販売される飲料缶の規格の高さとほぼ同程度であることを特徴とする請求項５に記載の景品付き缶状包装物。
【発明の詳細な説明】
【０００１】
【産業上の利用分野】
本発明は、景品を収容可能であると共に、飲料缶と係合して一体となって販売することが可能な景品収容容器に関する。
【０００２】
【従来の技術】
従来より、販売されている飲料等には、その販売促進のために袋入りのフィギュアなどの景品を添付することが行われている。景品を添付する場合は、通常、袋を装着し易いペットボトル形式のものに行われている。缶飲料にも景品を添付したいという要望は以前からあるが、缶飲料自体には、ペットボトルの抽出口のような景品の装着に適した部分がないため、カートンで複数本まとめ売りする際に、カートンに固着されるのが普通である。
【０００３】
ところが、販売ルートとして最も大きなものである自動販売機では、コーヒー，ジュース，緑茶，スポーツドリンク等の入った缶入り飲料が単体で販売されている。しかし、この自動販売機によって販売する商品は、自動販売機内に設けられた複数列からなるレール状の収納部に列単位で収納され、列単位で顧客に提供されている。したがって、自動販売機によって販売する商品は、少なくとも列単位に同一の商品を収納しておく必要があり、かつ、その商品の外形は飲料を充填する際に用いる各種の規格サイズの缶の大きさの商品でなければない。すなわち、自動販売機は飲料を充填する際に用いる各種の規格サイズの缶の大きさに合わせた構造になっている。
【０００４】
そのために、前記規格サイズの缶の大きさに合致しないものは、前記レール状の収納部に詰まったり、前記レール状の収納部からこぼれ落ちたり、また、前記レール状の収納部から商品取り出し口へ商品を一つ一つ排出する開閉扉に詰まったり、あるいは、前記開閉扉から一度に２つの商品が排出されたりといった問題を生じる恐れがある。
【０００５】
したがって、従来はコーヒー，ジュース，緑茶，スポーツドリンク等の入った商品（以下、飲料缶という）に景品等を添着し、自動販売機で販売するのは、不可能であるとされていた。
【０００６】
しかし、自動販売機が極めて広く普及した近年において、顧客の購買意欲をそそると共に、他社の商品と差別化するための戦術として、自動販売機で販売することができる景品等を付けた飲料缶が要望されていた。
【０００７】
【発明が解決しようとする課題】
これを解決するため、本出願人は、特開平１０−３０５８４１号公報において、単体の缶飲料に景品を付した景品付き飲料缶を提案した。しかしながら、この前記公報に記載の発明では、景品を収容する容器の飲料缶への固定を熱収縮フィルムでシュリンク包装することにより行っており、シュリンク工程が必要になって処理が複雑になると共に、購入した顧客側でもフィルムがごみになってしまうという問題がある。
【０００８】
上記のような点に鑑み、本発明は、景品を簡易に飲料缶に固定することが可能であると共に、固定した景品と共に飲料缶を自動販売機で販売可能な景品収容容器および景品付き缶状包装物を提供することを課題とする。
【０００９】
【課題を解決するための手段】
上記課題を解決するため、本発明では、景品を収容するための景品収容容器に、　飲料缶のリブ部に係合する係合部を設けたことを特徴とする。本発明によれば、景品収容容器に飲料缶のリブ部に係合する係合部を設けたことにより、シュリンク包装することなく、景品収容容器と飲料缶を固定することが可能となる。
【００１０】
【発明の実施の形態】
以下、本発明の好適な実施形態について、図面を参照して詳細に説明する。
（第１の実施形態）
本発明第１の実施形態による景品収容容器を図１に示す。図１（ａ）は本発明第１の実施形態による景品収容容器１０の上面図、図１（ｂ）は、図１（ａ）のＡ−Ａ線における断面図、図１（ｃ）は景品収容容器１０の下面図である。図１において、１１は上面、１２は壁面、１３は係合部である。景品収容容器１０の上面１１は、図１（ａ）に示すように、ほぼ円形であり、その直径は、飲料缶の直径とほぼ同サイズとなっている。景品収容容器１０の壁面１２は、図１（ｂ）に示すように、全体としてほぼ円筒形状を構成している。また、係合部１３は、図１（ｂ）に示すように、壁面１２の下端に設けられている。係合部１３は、図１（ｂ）に示すようにその断面は三角形状となっておいる。また、係合部１３は、図１（ｃ）の下面図に示すように、円周上に９０°間隔で４箇所設けられている。なお、景品収容容器１０を構成する上面１１、壁面１２、係合部１３は一体成型されており、その素材は、ＭＳ（メタクリルスチレン）、アクリル、ＰＥＴ（ポリエチレンテレフタレート）、レジン、ＧＰ（グランドプレーンスチロール）など射出成形に適したものが望ましい。また、１４は開口部であり、この開口部１４から景品が収容されることになる。
【００１１】
続いて、景品収容容器１０の飲料缶への装着について説明する。図２は、景品収容容器１０および飲料缶１００の外観斜視図であり、図３は、景品収容容器１０の飲料缶１００への装着の様子を示す側断面図である。景品収容容器１０の装着は、景品収容容器１０の係合部１３を飲料缶１００のリブ部１０１に当てて下側に力を加える。すると、リブ部１０１が係合部１３を外側に押し出す。このとき係合部１３に加わる力の方向を図３（ａ）の矢印で示す。さらに、景品収容容器１０を押し下げることにより、リブ部１０１が広がった開口部１４を通り、飲料缶１００の直径が狭くなっている窪み部１０２が係合部１３の位置に達する。すると、係合部１３が内側に戻り、係合部１３と窪み部１０２が係合することにより景品収容容器１０と飲料缶１００が連結される。このとき、係合部１３が内側に戻る弾性の力を図３（ｂ）の矢印で示す。この弾性により係合部１３が飲料缶１００のリブ１０１を抑え、景品収容容器１０と飲料缶１００が固定される。なお、景品収容容器１０の係合部１３が、図１（ｂ）に示したように断面三角形状となっているので、装着の際に、わずかに圧力をかけて下側に移動させれば、係合部１３が外側に移動して、リブ部１０１がすんなり移動することになる。このようにして、景品収容容器１０を飲料缶１００に装着した状態で、景品付き缶状包装物として販売することになる。装着された状態の飲料缶１００と景品収容容器１０を合わせた高さを規格に従った飲料缶の高さと同じにすれば、景品付き缶状包装物を自動販売機で販売することが可能となる。例えば、缶の高さが１０４．３ｍｍの２００ｇ缶であれば、景品付き飲料缶の高さを１３２．８ｍｍの２５０ｇ缶に相当するような外形にすれば良い。
【００１２】
（第２の実施形態）
続いて、本発明第２の実施形態による景品収容容器について説明する。図４に第２の実施形態による景品収容容器２０を示す。図４（ａ）は、第２の実施形態による景品収容容器２０の上面図であり、図４（ｂ）は、図４（ａ）のＢ−Ｂ線に沿う断面図であり、図４（ｃ）は、景品収容容器２０の下面図である。図４において、２１は上面、２２は壁面、２３は係合部、２４は開口部、２５はリブ部、２６は窪み部である。このうち、上面２１、壁面２２、係合部２３、開口部２４は、図１に示した上面１１、壁面１２、係合部１３、開口部１４と同一の構造・機能を有するので説明は省略する。第２の実施形態における特徴は、景品収容容器２０の上部の形状が、飲料缶の上部と同一の形状をしている点である。具体的には、図４（ａ）（ｂ）に示すように、景品収容容器２０の上面２１の周囲にリブ部２５および窪み部２６が設けられている。このリブ部２５および窪み部２６は飲料缶１００に設けられたリブ部１０１および窪み部１０２とほぼ同形状、同サイズとなっている。第２の実施形態による景品収容容器２０は、第１の実施形態による景品収容容器１０と同様な機構および手順により飲料缶１００に装着されて景品付き缶状包装物として自動販売機により販売されることになる。
【００１３】
第２の実施形態による景品収容容器２０の特徴的な利用法について説明する。景品収容容器２０は、その上部が飲料缶と同一形状であるため、景品収容容器２０の下部と装着可能となる。そのため、複数の景品収容容器２０を連結することが可能となる。これは、缶飲料の購入後、付属の景品を収集する際に役立つ。缶飲料の購入者は、景品収容容器２０だけをとっておき、連結して保存するのである。第２の実施形態による景品収容容器２０の連結前の状態を図５（ａ）に、連結後の状態を図５（ｂ）に、それぞれ示す。
【００１４】
（第３の実施形態）
本発明第３の実施形態による景品収容容器３０について説明する。図６に第３の実施形態による景品収容容器３０を示す。図６（ａ）は、第３の実施形態による景品収容容器３０の上面図であり、図６（ｂ）は、図６（ａ）のＣ−Ｃ線に沿う断面図であり、図６（ｃ）は、景品収容容器３０の下面図である。図６において、３１は上面、３２は壁面、３３は係合部、３４は開口部、３７は嵌合穴である。このうち、上面３１、壁面３２、係合部３３、開口部３４は、図１および図４に示した上面、壁面、係合部、開口部と同一の構造・機能を有するので説明は省略する。景品収容容器３０の特徴は、上面３１に嵌合穴３７を設けている点にある。嵌合穴３７は景品としてフィギュアを付けた場合に、フィギュアの足に設けられた嵌合突起と嵌合するために用いる穴である。通常、フィギュアは人間の形状をしており、その足が細いために安定して立たせるのに苦労するものである。そのため、ここでは、嵌合穴３７と嵌合突起を用いてフィギュアの足を固定する。このようにすることにより、景品収容容器３０は景品としてのフィギュアを収容するだけのものでなく、フィギュアを飾るための装飾台としての機能も果たすことになる。なお、販売時は、第３の実施形態による景品収容容器３０は、第１、第２の実施形態による景品収容容器と同様な機構および手順により飲料缶１００に装着されて景品付き缶状包装物として自動販売機により販売されることになる。
【００１５】
（第４の実施形態）
本発明第４の実施形態による景品収容容器４０について説明する。図７に第４の実施形態による景品収容容器４０を示す。図７（ａ）は、第４の実施形態による景品収容容器４０の上面図であり、図７（ｂ）は、図７（ａ）のＤ方向からの透視図であり、図７（ｃ）は、景品収容容器４０の下面図である。図７において、４１は上面、４２は壁面、４３は係合部、４４は開口部、４７は嵌合穴、４８は基板である。このうち、上面４１、壁面４２、係合部４３、開口部４４、嵌合穴４７は、上記いずれかの実施形態に示した上面、壁面、係合部、開口部、嵌合穴と同一の構造・機能を有するので説明は省略する。第４の実施形態による景品収容容器４０の特徴は、景品収容容器４０の内面に、嵌合穴４７を有する基板４８を設けた点にある。この嵌合穴４７は、第３の実施形態による景品収容容器３０と同様、フィギュアの固定に用いられる。ただし、景品収容容器４０では、景品収容容器３０と異なり、景品収容容器の外側にフィギュアを飾るのではなく、景品収容容器の内側にフィギュアを飾るようになっている。そのため、上面４１および壁面４２は透明である必要がある。第４の実施形態による景品収容容器４０は、上記他の実施形態による景品収容容器と同様な機構および手順により飲料缶１００に装着されて景品付き缶状包装物として自動販売機により販売されることになる。購入者は、購入後、景品収容容器４０内の嵌合穴４７にフィギュアの足に設けられた嵌合突起を利用して、フィギュアを固定して飾ることができる。
【００１６】
（第５の実施形態）
本発明第５の実施形態による景品収容容器５０について説明する。図８に第５の実施形態による景品収容容器５０を示す。景品収容容器５０は、景品収容容器４０の応用として、複数個連結して飾るための構造を有している。図８（ａ）は景品収容容器５０の上面図である。図８（ａ）において、５９ａは凸部、５９ｂは凹部である。図８（ａ）の例では、凸部５９ａが３個、凹部５９ｂが３個設けられている。景品収容容器５０は、凸部５９ａおよび凹部５９ｂを有している以外は、景品収容容器４０と全く同じ構造である。凸部５９ａは他の景品収容容器５０の凹部５９ｂと、また、凹部５９ｂは他の景品収容容器５０の凸部５９ａと連結可能に形成されている。ここで、景品収容容器５０の凸部５９ａと他の景品収容容器５０の凹部５９ｂを連結した場合の拡大図を図８（ｂ）に示す。図８（ｂ）に示すように凸部５９ａと凹部５９ｂが係合することにより、景品収容容器５０同士が連結される。複数の景品収容容器５０が凸部５９ａと凹部５９ｂにより連結された状態を図８（ｃ）に示す。図８の例では、９個の景品収容容器５０が連結された状態を示している。なお、景品収容容器４０も、景品収容容器５０と同様に連結して上面からフィギュアを鑑賞できるようにすることも可能である。この場合、各景品収容容器４０が互いに接する位置（例えば、景品収容容器５０の凸部５９ａと凹部５９ｂが設けられている位置）に接着剤を付しておき、剥離紙を剥がした後接着する等、周知の種々の手法を用いることができる。
【００１７】
以上、本発明の好適な実施形態について説明したが、本発明は上記実施形態に限定されず、種々の変形が可能である。例えば、上記第１から第３の実施形態では、上面および壁面について特に言及しなかったが、透明であってもなくても良い。ただし、第４、第５の実施形態では、内面にフィギュアを飾ることになるため、透明である必要がある。
【００１８】
また、上記実施形態を組み合わせた形態で実施しても良い。例えば、上記第２の実施形態で示したような上面を飲料缶の上面と同一とした形状は、第３、第４、第５の実施形態と組み合わせて実施するようにしても良い。
【００１９】
【発明の効果】
以上、説明したように本発明によれば、景品を収容するための景品収容容器に、　飲料缶のリブ部に係合する係合部を設けたので、シュリンク包装することなく、景品収容容器と飲料缶を固定することが可能となるという効果を奏する。
【図面の簡単な説明】
【図１】本発明に係る景品収容容器の第１の実施形態を示す図である。
【図２】景品収容容器と飲料缶の外観斜視図である。
【図３】景品収容容器と飲料缶を固定した状態を示す図である。
【図４】本発明に係る景品収容容器の第２の実施形態を示す図である。
【図５】第２の実施形態による景品収容容器を連結した状態を示す図である。
【図６】本発明に係る景品収容容器の第３の実施形態を示す図である。
【図７】本発明に係る景品収容容器の第４の実施形態を示す図である。
【図８】本発明に係る景品収容容器の第５の実施形態を示す図である。
【符号の説明】
１０、２０、３０、４０、５０・・・景品収容容器
１１、２１、３１、４１・・・上面
１２、２２、３２、４２・・・壁面
１３、２３、３３、４３・・・係合部
１４、２４、３４、４４・・・開口部
１５、２５、１０１・・・リブ部
１６、２６、１０２・・・窪み部
３７、４７・・・嵌合穴
４８・・・基板
５９ａ・・・凸部
５９ｂ・・・凹部
１００・・・飲料缶
【図１】
2004083109.tif 000003
【図２】
2004083109.tif 000004
【図３】
2004083109.tif 000005
【図４】
2004083109.tif 000006
【図５】
2004083109.tif 000007
【図６】
2004083109.tif 000008
【図７】
2004083109.tif 000009
【図８】
2004083109.tif 000010